(57)【要約】【課題】  支持体への剛毛の多種多様な取付けが可能な塗布器具を提供する。【解決手段】  本発明は、物質を毛、特に睫毛又は眉毛に塗布するアプリケータに関し、アプリケータ（１０）は、物質を塗布するための剛毛（２２）が固定された支持体（２０）を有している。支持体はねじれておらず、この支持体には断面が一様ではない少なくとも１つの貫通穴（２１）が設けられ、一群の剛毛（２２）がこの貫通穴内に保持されている。【選択図】      図１
2005342534.tif 000002
【特許請求の範囲】
【請求項１】
物質を毛、特に睫毛又は眉毛に塗布するアプリケータであって、アプリケータは、支持体（20;30;40;91;101;120;130;140;151;180;181;182;190）と、支持体に固定されていて、物質を塗布する剛毛とを有し、前記支持体は、ねじれておらず、前記支持体は、一群の剛毛（22）を保持した断面が一様ではない少なくとも１つの貫通穴（21）を有していることを特徴とするアプリケータ。
【請求項２】
前記少なくとも１つの貫通穴は、支持体の外面で開口した２つの端部を有していることを特徴とする請求項１記載のアプリケータ。
【請求項３】
支持体は、複数の貫通穴を有し、各貫通穴は、一群の剛毛（22）をそれぞれ受け入れていることを特徴とする請求項１又は２記載のアプリケータ。
【請求項４】
所与の穴に対応した一群の剛毛は、剛毛の差し込み後に支持体の材料に塑性変形を施して穴を変形させることによって前記穴の中に保持されることを特徴とする請求項１〜３のうち何れか一に記載のアプリケータ。
【請求項５】
前記塑性変形は、支持体を成形し、継ぎ合わせし、ヒートシールし、或いはプレス加工することにより、好ましくは成形することによって達成されることを特徴とする請求項４記載のアプリケータ。
【請求項６】
一群の剛毛は、剛毛の軸線に対して垂直に延びる固定手段（53）によって、支持体の対応の穴の中に保持されていることを特徴とする請求項４又は５記載のアプリケータ。
【請求項７】
支持体は、貫通穴と連携してこれに垂直に設けられた少なくとも１つの盲穴（52）を有することを特徴とする請求項１〜６のうち何れか一に記載のアプリケータ。
【請求項８】
貫通穴は、該貫通穴の長さの或る部分のところの断面が正方形、長円形又は非円形であることを特徴とする請求項１〜７のうち何れか一に記載のアプリケータ。
【請求項９】
貫通穴のうち幾つか又は全ては、一端及び（又は）両端に皿穴（42）を有することを特徴とする請求項１〜８のうち何れか一に記載のアプリケータ。
【請求項１０】
支持体は、少なくとも１つの列をなす穴（21）を有していることを特徴とする請求項１〜９のうち何れか一に記載のアプリケータ。
【請求項１１】
支持体は、ジグザグに配置された穴（121）を有することを特徴とする請求項１〜１０のうち何れか一に記載のアプリケータ。
【請求項１２】
支持体は、相互に連通した穴（141,142;153;191）を有していることを特徴とする請求項１〜１１のうち何れか一に記載のアプリケータ。
【請求項１３】
支持体は、互いに交差した穴（141,142;153）を有していることを特徴とする請求項１２記載のアプリケータ。
【請求項１４】
支持体は、非直線状の穴を有していることを特徴とする請求項１〜１３のうち何れか一に記載のアプリケータ。
【請求項１５】
支持体は、平行ではない軸線上に位置した穴を有することを特徴とする請求項１〜１４のうち何れか一に記載のアプリケータ。
【請求項１６】
支持体は、平らな形状をしていることを特徴とする請求項１〜１５のうち何れか一に記載のアプリケータ。
【請求項１７】
支持体は、形状が細長く、断面が多角形であることを特徴とする請求項１〜１６のうち何れか一に記載のアプリケータ。
【請求項１８】
支持体は形状が細長く、支持体は、毛をすき分け又はなでつけることができ、或いは物質の溜りを構成するのに役立つ歯（112）、切欠き、或いは凹凸又は起伏状態の他の部分、特に、支持体の長手方向軸線に対して横方向に延びる切欠き（56）、或いは凹凸又は起伏状態の他の部分を備えていることを特徴とする請求項１〜１７のうち何れか一に記載のアプリケータ。
【請求項１９】
支持体は、単一部品として作られていることを特徴とする請求項１〜１８のうち何れか一に記載のアプリケータ。
【請求項２０】
前記支持体は、中空ではないことを特徴とする請求項１〜１９のうち何れか一に記載のアプリケータ。
【請求項２１】
支持体は、軸と一体に形成されていることを特徴とする請求項２０記載のアプリケータ。
【請求項２２】
前記軸は、中空ではないことを特徴とする請求項２１記載のアプリケータ。
【請求項２３】
支持体（180,181,182）は、複合構造のものであり、特に、サンドイッチ構造のものであることを特徴とする請求項１〜１８のうち何れか一に記載のアプリケータ。
【請求項２４】
剛毛のうち幾つか又は全ては、溝及び（又は）折り目及び（又は）二又部分又は丸いヘッドを有していることを特徴とする請求項１〜２３のうち何れか一に記載のアプリケータ。
【請求項２５】
剛毛のうち幾つか又は全ては、平らであることを特徴とする請求項１〜２４のうち何れか一に記載のアプリケータ。
【請求項２６】
剛毛のうち幾つか又は全ては、支持体の対応関係にある各穴の一端のところにループ（23）を形成していることを特徴とする請求項１〜２５のうち何れか一に記載のアプリケータ。
【請求項２７】
剛毛のうち幾つか又は全ては、支持体の対応関係にある穴の一端のところで刈り取られていることを特徴とする請求項１〜２６のうち何れか一に記載のアプリケータ。
【請求項２８】
支持体は、少なくとも１つの穴を有し、一群の剛毛が穴の各端から互いに同一又は互いに異なるそれぞれの高さ位置まで突き出ていることを特徴とする請求項１〜２７のうち何れか一に記載のアプリケータ。
【請求項２９】
剛毛は、所定の輪郭、特に凹状、凸状又はのこ歯状のブラシを形成していることを特徴とする請求項１〜２８のうち何れか一に記載のアプリケータ。
【請求項３０】
各穴内において、剛毛は、互いに異なる直径、性状及び（又は）断面のものであることを特徴とする請求項１〜２７のうち何れか一に記載のアプリケータ。
【請求項３１】
剛毛群は、別の剛毛群を構成する剛毛とは異なる直径、性状及び（又は）断面の剛毛で構成されていることを特徴とする請求項１〜２８のうち何れか一に記載のアプリケータ。
【請求項３２】
物質を包装し、これを睫毛又は眉毛に塗布する器具であって、請求項１〜３１のうち何れか一に記載のアプリケータと、物質を収容する入れ物（2）と、アプリケータが入れ物から出る時にアプリケータを拭うことができるワイパー部材、特にフォーム又はエラストマータイプのワイパー部材（5;5'）とから成り、軸は好ましくは、ワイパー部材を変形させないようワイパー部材と同一高さに細い領域を有していることを特徴とする器具。
【請求項３３】
支持体は、軸の一端に固定され、軸の他端には、入れ物を密封するキャップとしても役立つ取っ手部材が設けられていることを特徴とする請求項３２記載の器具。
【請求項３４】
支持体は、支持体が固定される軸を構成するのに用いられる材料よりも可撓性の高い材料で作られていることを特徴とする請求項３２又は３３記載の器具。
【請求項３５】
剛毛のうち幾つか又は全ては、支持体と同種の材料で作られていることを特徴とする請求項３２〜３４のうち何れか一に記載の器具。
【請求項３６】
剛毛は、軟質エラストマー材料を押出成形することによって作られていることを特徴とする請求項３２〜３５のうち何れか一に記載の器具。
【請求項３７】
剛毛は、毛との滑り接触性を向上させる充填剤の入った材料で作られており、前記充填剤は特に、黒鉛、ポリテトラフルオロエチレン及びその誘導体、シリコーン及びその誘導体、二硫化モリブデンから選択されていることを特徴とする請求項３２〜３６のうち何れか一に記載の器具。
【請求項３８】
支持体は、次の材料、即ち、ポリエチレン、ポリプロピレン、ポリスチレン、ポリカーボネート、ポリアミド、ポリアセテート、ポリウレタン、ポリエステル及び熱可塑性エラストマーから選択された１又は２以上の材料で作られていることを特徴とする請求項３２〜３７のうち何れか一に記載の器具。
【請求項３９】
１つの群当たりの剛毛の本数は、２〜２５０、好ましくは、４〜１００、より好ましくは５〜５０であることを特徴とする請求項３２〜３７のうち何れか一に記載の器具。
【請求項４０】
物質を毛、特に睫毛又は眉毛に塗布するアプリケータを製造する方法であって、貫通穴を備えた細長い形状のねじれていない支持体を形成する工程と、剛毛群を貫通穴に差し込む工程と、支持体の穴を変形させて各剛毛群を対応関係にある穴内に保持する工程とを有することを特徴とする方法。
【請求項４１】
剛毛を、貫通穴に差し込む前に、Ｕ字形の形状に折り曲げることを特徴とする請求項４０記載の方法。
【請求項４２】
剛毛の折り曲げは、中間のところでは行われないことを特徴とする請求項４１記載の方法。
【請求項４３】
支持体を、その一方の側部又は両方の側部を成形することにより変形させることを特徴とする請求項４１又は４２記載の方法。
【請求項４４】
剛毛を切断してこれらに特定の全体的形状を与えることを特徴とする請求項４０〜４３のうち何れか一に記載の方法。
【請求項４５】
剛毛又はループの自由端部を切削加工することを特徴とする請求項４０〜４４のうち何れか一に記載の方法。
【請求項４６】
剛毛をカーディングしてこれらの端部を割裂させることを特徴とする請求項４０〜４５のうち何れか一に記載の方法。
【請求項４７】
剛毛を、支持体内の所定場所に配置する前に所望長さに切断し、剛毛を支持体内の所定場所に配置した後は再び切断することはしないことを特徴とする請求項４０〜４３のうち何れか一に記載の方法。
【請求項４８】
支持体をヒートシールし、或いは軸の材料を変形させることによって固定することを特徴とする請求項４０〜４７のうち何れか一に記載の方法。
【請求項４９】
物質を毛、特に睫毛又は眉毛に塗布するアプリケータを製造する方法であって、貫通穴及び前記貫通穴の軸線に実質的に垂直な軸線をもつ補助穴を備えた細長い形状のねじれていない支持体を形成する工程と、剛毛群を貫通穴内に差し込む工程と、ペグを前記補助穴に差し込んで剛毛群をそれぞれ対応関係にある貫通穴内に保持する工程とを有することを特徴とする方法。
【発明の詳細な説明】
【技術分野】
【０００１】
本発明は、角質性繊維、即ち、毛、特に睫毛又は眉毛への物質の塗布に関する。
【０００２】
本発明は特に、化粧品又はケア製品、例えばマスカラの塗布に関する。
【背景技術】
【０００３】
マスカラは従来、剛毛群をねじれた支持体に固定して構成したブラシを用いて睫毛又は眉毛に塗布されている。
【０００４】
支持体への剛毛の取付け方及び得られるメーキャップ効果において多様な選択肢を提供する新規なアプリケータが要望されている。
【発明の開示】
【課題を解決するための手段】
【０００５】
本発明は、物質を毛、特に睫毛又は眉毛に塗布するアプリケータであって、アプリケータは、支持体と、支持体に固定されていて、物質を塗布する剛毛とを有し、前記支持体は、ねじれておらず、前記支持体は、一群の剛毛を保持した断面が一様ではない少なくとも１つの貫通穴を有していることを特徴とする新規なアプリケータを提供する。
上記の少なくとも１つの貫通穴は、支持体の外面で開口した２つの端部を湯売るのがよい。
少なくとも１つの貫通穴の断面は一様ではないのがよい。
支持体の形状は好ましくは細長い。
本発明は、剛毛を支持体に植え付けるための新しい選択肢を提供する。
【０００６】
かくして、各穴の形状及び支持体上への各穴の位置を選択することにより、ねじれたコアを備える従来型ブラシを用いることによって容易に得ることが不可能ではないとしても、困難なメーキャップ効果を得ることができる。
支持体は好ましくは、複数の貫通穴を有し、各貫通穴は、一群の剛毛をそれぞれ受け入れる。
所与の穴に対応した一群の剛毛は有利には、剛毛の差し込み後に支持体の材料に塑性変形を施して穴を変形させることによって前記穴の中に保持される。
かかる変形は好ましくは、支持体を成形し、熱成形又は常温成形の何れかを行うことにより達成される。
【０００７】
変形例として、剛毛を保持できるようにする変形は、支持体を継ぎ合わせし、ヒートシールし、或いはプレス加工することにより達成される。
穴のうち幾つか又は全てを、これらが一端又は両端のところで端ぐりされるよう構成することが可能である。
かかる端ぐりにより、剛毛は、支持体から突出してラッパ状に広がった形態を取ることができる。
支持体上への穴の配置は、所望のメーキャップ効果、用いる剛毛の性状及び支持体の形状の関数として選択される。
貫通穴は、その長さの或る部分のところの断面が円形又は非円形、正方形又は長円形のものであるのがよい。
【０００８】
一群の剛毛を穴の軸線に対して垂直に延びる固定手段によって支持体の対応の穴の中に保持するのがよい。
支持体は、貫通穴と連携してこれに垂直に設けられた少なくとも１つの盲穴を有するのがよい。貫通穴は、盲穴を除き、断面が一様のものであるのがよい。
かかる状況の下では、上述の固定手段は、剛毛に当たるまでかかる盲穴に挿入されるペグによって構成されると有利である。
特定の実施形態では、支持体は少なくとも１つの列の穴を有し、かかる列は、任意的に整列した状態の一連の穴から成る。
一例を挙げると、穴はかくして、支持体の一方のフェース上にジグザグに配置されるのがよい。
支持体は、互いに異なる形状の穴を有してもよい。
穴を、一定間隔又はその他の間隔で支持体に設けてもよい。
支持体はまた、互いに連通した穴、例えば、互いに交差した穴又は支持体の開口部分を介して互いにつながった穴をさらに有するのがよい。
穴が互いに交差している場合、一群中の剛毛を穴のうちの一方に嵌め込むと、その群中の剛毛が他方の穴に嵌まりやすくなる。
【０００９】
支持体は、互いに平行ではなく、支持体の長手方向に対して垂直に延び、或いはこれに対して０ではない鋭角をなす軸線の穴を更に有してもよい。
支持体は、平らな又は他の形状のものであってもよく、一定の又は漸変多角形又は他の断面形状のものであってもよい。
支持体はかくして、円錐形又はピラミッド形の全体形状を呈するのがよい。
支持体は形状が細長く、支持体は、毛をすき分け又はなでつけることができ、或いは物質の溜りを構成するのに役立つ歯、切欠き、或いは凹凸又は起伏状態の他の部分を備えるのがよい。
特に、上記切欠き、或いは凹凸又は起伏状態の他の部分は、支持体の長手方向軸線に対して横方向に延びるのがよい。
【００１０】
支持体を単一部品として作るのがよく、或いは、これは複合構造、例えばサンドイッチ構造のものでであってもよく、かくして、支持体のコアを比較的成形が容易であるように選択された材料で作ることができ、他方、支持体の残部は、例えば外観上の理由で所定の形状にしやすく、或いはアプリケータの軸の端部に取り付けやすい材料で作られる。
あらゆる種類の剛毛を支持体に固定することができ、これら剛毛は、天然又は合成であってよく、例えば、軟質エラストマーで作られ、或いは剛毛の混合物として作られたものであってもよい。
剛毛は、溝及び（又は）折り目及び（又は）二又部分を有するのがよく、又は丸いヘッドを有してもよい。
剛毛は、平らであってもよい。
【００１１】
アプリケータ要素は、少なくとも１つの穴を有するのがよく、一群の剛毛が、作られるべきアプリケータの種類に応じて穴の各端から互いに同一又は互いに異なるそれぞれの高さ位置まで突き出ている。
各穴内において、剛毛は、互いに異なる直径、性状及び（又は）断面のものであるのがよい。
一つの剛毛群は、別の剛毛群を構成する剛毛とは異なる直径、性状及び（又は）断面の剛毛で構成されたものであってもよい。
剛毛のうち幾つか又は全てを、支持体と同一の材料で作ってもよく、例えば、材料を溶かすことにより剛毛支持体に固定するのが容易な材料で作ってもよい。
剛毛は、軟質エラストマー材料を押出成形することによって作られたものであるのがよい。
剛毛は、毛との滑り接触性を向上させる充填剤の入った材料で作られたものであるのがよく、充填剤は特に、黒鉛、ポリテトラフルオロエチレン及びその誘導体、シリコーン及びその誘導体、二硫化モリブデンから選択される。
【００１２】
支持体は、次の材料、即ち、ポリエチレン、ポリプロピレン、ポリスチレン、ポリカーボネート、ポリアミド、ポリアセテート、ポリウレタン、ポリエステル及び熱可塑性エラストマーから選択された１又は２以上の材料で作られたものであるのがよい。
支持体は、中空ではない支持体であるのがよい。
１つの群当たりの剛毛の本数は、２〜２５０、好ましくは、４〜１００、より好ましくは５〜５０である。
剛毛のうち幾つか又は全ては、対応関係にある穴の一方の側部上にループを形成してもよく、或いはこれらを刈り取ってもよい。
剛毛を支持体上の定位置に配置した後に剛毛に切削加工を施して凹状、凸状、のこ歯状等の所定の輪郭を持つブラシを形成してもよい。
【００１３】
本発明は又、物質を包装し、これを睫毛又は眉毛に塗布する器具であって、上述のアプリケータと、物質を収容する入れ物と、アプリケータが入れ物から出る時にアプリケータを拭うことができるワイパー部材とを有する器具を提供する。
支持体を軸の一端に固定するのがよく、軸の他端には、入れ物を密封するキャップとしても役立つ取っ手部材が設けられる。
上述の軸を、入れ物を漏れ止め状態に密閉できる密封手段を用いて形成するのがよい。
支持体を、これが固定される軸を製造するのに用いられる材料よりも可撓性又は剛性が高い材料で作ってもよい。
支持体は又、アプリケータの軸と一体に形成してもよい。軸は、中空ではない軸であってもよい。
支持体は、熱可塑性又は加硫エラストマーで作られたものであるのがよい。
【００１４】
本発明は又、物質を毛、特に睫毛又は眉毛に塗布するアプリケータを製造する方法であって、貫通穴を備えた細長い形状のねじれていない支持体を形成する工程と、剛毛群を貫通穴に差し込む工程と、支持体の穴を変形させて各剛毛群を対応関係にある穴内に保持する工程とを有することを特徴とする方法を提供する。
有利には、剛毛を貫通穴に差し込む前にＵ字形の形状に折り曲げ、かくして、この中への挿入を容易にする。
この場合、剛毛は、これらの挿入端部から見て反対側の穴の端部のところにループを形成し、これらループをアプリケータ上に残すのがよく、或いはこれらを刈り取ってもよい。
剛毛は、これらが支持体の穴の中に取り付けられると、半分に折り曲げる必要はない。
かくして、所望ならば、非常に短いループを支持体の一方の側部上に得ることができる。
【００１５】
剛毛を切断してこれらに特定の全体的形状を与えるのがよい。
剛毛又はループの自由端部を切削加工するのがよい。
剛毛をカーディングしてこれらの端部を割裂させてもよい。
支持体をヒートシールしてもよく、或いは軸の材料を変形させることにより固定してもよい。
剛毛を、支持体内の所定場所に配置する前に所望長さに切断するのがよく、剛毛を支持体内の所定場所に配置した後は再び切断することはしない。
支持体を、一方の側部又は両方の側部を成形することによって変形させ、それにより所望の結果の関数として一方の側部又は両方の側部の穴を変形させるのがよく、一方の側部の穴の変形は、穴が両方の側部で変形される場合に取る向きとは異なる向きを剛毛が取ることができるようにするだけである。
【００１６】
剛毛を支持体上の定位置に配置できる場合に鑑みて、本発明では、少数の互いに異なる支持体を用いて、種々の性状及び（又は）直径及び（又は）長さの剛毛から成り、また一群当たりの本数が多い又は少ない剛毛から成る剛毛群を受け入れる多数のブラシ又は櫛状部を非常に迅速に作ることができる。
これにより、アプリケータの製造の融通性が増す。
本発明は又、物質を毛、特に睫毛又は眉毛に塗布するアプリケータを製造する方法であって、貫通穴及び前記貫通穴の軸線に実質的に垂直な軸線をもつ補助穴を備えた細長い形状のねじれていない支持体を形成する工程と、剛毛群を貫通穴内に差し込む工程と、ペグを前記補助穴に差し込んで剛毛群をそれぞれ対応関係にある貫通穴内に保持する工程とを有することを特徴とする方法を提供する。
本発明の他の特徴及び利点は、非限定的な実施形態の以下の詳細な説明及び添付の図面を参照すると明らかになろう。
【発明を実施するための最良の形態】
【００１７】
図１は、本発明の実施形態としての包装塗布器具１を示している。
器具１は、睫毛又は眉毛に塗布される物質、例えば化粧品又はケア製品Ｐ、例えばマスカラを収容した入れ物２を有している。
入れ物２の頂部は、くびれ部３を有し、このくびれ部は、入れ物２の本体にスナップ動作で取り付けられた組立用スカート４に固定されている。
器具１は、軸線Ｘを定める軸１１の端部に設けられたアプリケータ１０を有し、この軸１１は、入れ物２のクロージャキャップにもなる取っ手部材１２に連結されている。
アプリケータ１０が入れ物を出るときにアプリケータ10を拭うためのワイパー部材５が、入れ物２の本体内に設けられている。
この場合、ワイパー部材５は、連続気泡フォームのブロックであるが、任意の種類のワイパー、例えば、図３１に示すように任意的にフロック加工が施されたエラストマーリップ５′を用いてもよい。
【００１８】
この場合、軸は有利には、アプリケータが入れ物内の定位置にあるときに、ワイパー部材を変形させないようにすることができる細い断面部分を有する。
アプリケータ１０は、支持体２０を有し、この支持体２０は、軸線Ｘに沿って細長く、かつ図２で分かるように軸線Ｘに垂直な方向で支持体と交差する貫通穴２１を有しており、各穴は、一群の剛毛２２を受け入れている。
支持体は、これとは別の向きになっていてもよく、例えば、軸線Ｘに垂直であってもよい。
穴２１の軸線は、支持体の長手方向軸線に対して実質的に垂直である。
一群の剛毛２２は、図３に示すように差込み工具Ｔによって対応関係をなす穴２１内に差し込まれる。
差込みを容易にするため、かかる一群中の剛毛２２をＵ字形の状態に二つ折りにし、工具ＴをＵ字形の底部に当てて剛毛２２を穴２１に押し込む。
【００１９】
次に、工具Ｔを引き抜くと、剛毛２２が穴２１内に定位置に位置した状態で残り、剛毛は、これらを差し込んだ端から見て反対側の穴の端にループ２３を形成し、これらループを、図５に示すように次に刈り取ることができるが、このようにするかどうかは任意である。
また、剛毛を厳密に二つ折りにしないで、例えば、図４に示すようにこれらの長さの３／４のところで折り曲げてもよい。
剛毛群２２を各々、対応関係にある穴２１内に固定するようにするため、支持体２０をその構成材料の性状に応じて熱成形又は常温成形するのがよい。
支持体２０を成形するため、図６に矢印で示すように、各穴２１と位置が合った状態で圧力を支持体２０の一方の側部又は両方の側部に局所的に及ぼすよう１又は２以上の適当なパンチ（図面を分かりやすくするため図示していない）が用いられる。
穴の軸線に垂直に支持体２０に局所的に及ぼされた圧力の結果として、支持体２０の一方の側部２４の材料が図７に示すように可塑変形し、又は支持体の両方の側部２４，２５の材料が図８に示すように可塑変形することになる。
支持体２０の変形により、各穴２１の断面が減少し、したがって剛毛２２がクランプされ、この中で動くことがないようになる。各穴２１の断面は、支持体２０の変形の結果として一様ではなくなる。
一群の剛毛が嵌まり込んでいる穴の形状に応じて、図９及び図１０に示すように多少開いた角度ｉで支持体から延びる剛毛を得ることができる。
【００２０】
図９は、少なくとも一端の付近に円筒形の穴３１を備えた支持体３０を示している。
図９では、剛毛は、支持体３０の外部で幾分束ね合わされた状態のままであり、非常に僅かながら広がった束を形成していることが観察されよう。
図１０は、支持体４０を示しており、この支持体は、皿穴４２を介して支持体４０の外部に開口した穴４１を備えている。皿穴４２が設けられているので、剛毛は上述の角度ｉよりも大きな角度ｉで支持体４０の外部にラッパ状に広がるよう開くことができる。
かくして、支持体中の各穴の形状を選択することにより、例えば、所望のメーキャップ効果及び（又は）睫毛又は眉毛に塗布される物質の性状の関数として、種々の剛毛の向きを得ることができる。
剛毛群を支持体に固定するため、図１１に示すように、剛毛群を受け入れる貫通穴の軸線に垂直に盲穴を更に設けるのがよい。
【００２１】
図１１は、剛毛群を受け入れる垂直の貫通穴５１を備えた支持体５０の概略断面図である。
水平方向の盲穴５２が支持体に形成されており、各盲穴は一端が、これと対応関係にある貫通穴５１内に開口している。盲穴５２が設けられているので、これと対応関係にある貫通穴５１は、一様断面のものではない。貫通穴５１の断面は、図１１の実施形態においては盲穴５２の上及び下で同一であるが、盲穴５２の高さ位置では異なっている。
剛毛を貫通穴５１内の定位置に係止するため、ペグ５３が各盲穴５２に押し込まれる。
【００２２】
図１２は、物質の溜りを構成すると共に追加のすき分け又は梳り作用を睫毛に及ぼす目的で側部フェースに設けられた切欠き５６を有する支持体５５を示している。
剛毛群を、図１３に示すように支持体の両側から対応関係にある穴に差し込むことにより支持体に植え込むのがよい。
図１３には複数の穴６１を備えた支持体６０が示されており、これらの穴は、上下から交互に差し込まれた剛毛群を受け入れている。
【００２３】
図１４〜図１９は、本発明の実施形態としての種々のアプリケータを示している。
図１４の縮尺は、図１に示すアプリケータ１０の縮尺よりも大きい。
このアプリケータ１０は、支持体２０だけでなく、ワイパー部材５を通過しやすいような形状になった前方部分２８及び後方部分２９を更に有していることが分かる。
図１４では、剛毛群２２を受け入れている穴相互間の間隔は、剛毛群の端が実質的に互いに当たるように選択されていることが分かる。
成形の跡２６もまた図１４に見える。
【００２４】
図１４の実施形態では、アプリケータ１０を横から見ると、剛毛２２の端部は、前方部分２８の底縁部２８ａ及び後方部分２９の底縁部２９ａを実質的に通る直線上で実質的に整列している。
当然のことながら、剛毛を支持体に植え込んだ後にこれらを切削加工又は研削加工して図１５〜図１７に示すように種々の所定の輪郭を得るようにするのがよい。
図１５は、上述のアプリケータ１０と同様に前方部分２８及び後方部分２９を備えた支持体２０を有すると共に切削加工された剛毛群を有するアプリケータ７０を示しており、アプリケータ７０を横から見ると、剛毛の端部は、外方へ凹状の線７１を構成し、その曲率は例えば瞼の外形に合致するようになっている。
【００２５】
図１６は、剛毛を支持体２０内に配置した後にこれらを切削加工する点において上述のアプリケータ１０，７０とは異なるアプリケータ８０を示しており、アプリケータ８０を横から見ると、剛毛の端部は、睫毛に追加のすき分け又は梳り効果を生じさせるようのこ歯状の線８１上に位置するようになっている。
剛毛群を支持体内の定位置に配置する方法により生じたループ２３を任意的に刈り取ることを説明するために、図１６は、ループが刈り取られていないアプリケータを示している。
これらループ２３を用いると、物質の溜りを構成することができる。
【００２６】
図１７は、支持体９１を有するアプリケータ９０を示しており、この支持体９１は、物質の入った入れ物内への挿入を容易にするようテーパした先導端部９２を有する平らにされた断面（このような断面にするかどうかは任意である）の軸の一部によって構成されているに過ぎない。
剛毛群が、支持体９１内に植え込まれている。
剛毛は、支持体９１の一方の側部が切削加工され、これらの端部はアプリケータ９０を横から見たときに外方に凸状の線９３上に位置するようになっている。
支持体９１の反対側の側部では、ループは部分的に刈り取られて剛毛群を形成している。
図示のように、これら剛毛群を切削加工して、アプリケータ９０を横から見たときに、これらの端部が外部に向かって僅かに凹状の線９４上に位置するようにするのがよい。
【００２７】
当然のことながら、所望のメーキャップ効果に応じて、本発明の範囲から逸脱することなく、アプリケータに別の輪郭を与えることができる。
支持体は、追加のメーキャップ効果を生じさせ、睫毛上の物質を梳ると共に（或いは）ならし、それにより睫毛を伸ばすと共に（或いは）曲げ、しかも（或いは）アプリケータを使用できる時間を長くすることにより物質を塗布しやすいようにする物質の溜りを構成するための凹凸及び（又は）起伏状態の部分及び（又は）歯を備えるのがよい。
例えば、図１８は、のこ歯１０２の形状の一方の側部を備えた支持体１０１を有するアプリケータ１００を示している。
支持体の歯相互間に形成された切欠きの各々の底部では、剛毛群の入った貫通穴が開口しており、かかる剛毛群は、切欠きがＶ字形の形状をしているのでラッパ状に広がった形態を有するのがよいが、このようにするかどうかは任意である。
剛毛群が差し込まれた穴は、のこ歯１０２から見て遠くに位置したこれらの端部のところが一様断面のものであり、それにより、僅かに広がった剛毛の束１０３を形成している。
【００２８】
図１９は、支持体１１１が上述した実施形態と同様に剛毛群を収納固定した穴を有するアプリケータ１１０を示している。
剛毛群は、支持体１１１の一方の側部から突き出ている。
アプリケータは、その反対側の側部に、支持体１１１と一体に形成され、例えば睫毛をすき分けるよう設計された１又は２以上の列をなす歯１１２を有している。
一例を挙げると、支持体１１１は、２列の歯１１２を有するのがよく、これら歯は、互いに接触しない底部を備えたジグザグの形態で配置されるようにずれており、剛毛群が植え込まれた穴は例えば、歯１１２の２つの列相互間に延びる線上に位置している。
剛毛群を、任意的に互いに整列状態にある穴内に植え込むのがよく、支持体は、任意的に互いに平行な軸線上に１又は２以上の列をなす穴を有するのがよい。
一例を挙げると、図２０は、全体としてへらの形をしていて、長手方向軸線に沿って細長く、厚さを貫通して一連の穴１２１を備えた支持体１２０を示しており、これらの穴１２１は、境界面Ｓの各側に交互にジグザグに配置されており、境界面Ｓはこの場合、支持体の対称中間平面である。
穴１２１をジグザグに配置し、これらの端部を適当に切削加工することにより、２つの連続して並んだ穴内に植え込まれた剛毛相互間にＵ字形又はＶ字形の切欠きを形成することができ、これら切欠きは、アプリケータを横から見ると互いにオーバーラップし、かかるＵ字形又はＶ字形の切欠きは物質を睫毛上に広げるのに役立つ。
【００２９】
アプリケータは、図２１に示すように、互いにずれてはいない２又は３以上の互いに平行な列をなす穴を更に有するのがよい。
この図では、長手方向にずれてはいない２列の穴１３１，１３２を有する支持体１３０が示されている。
図２２は、貫通して延びる穴のグループを備えた支持体１４０を示しており、各グループは、互いに平行ではない軸線上に位置した２つの穴１４１，１４２を有しており、両方の穴は、共通のオリフィス１４３を介して支持体１４０の一方の側部で開口している。
穴１４１，１４２により、アプリケータを横から見た場合に剛毛が支持体からＶ字形の形をなして出るように２つの剛毛群を植え込むことができる。
図示していない変形例では、支持体は、穴１４１，１４２と類似しているか、共通のオリフィスを介しては開口していない穴を有している。
上述の実施形態では、剛毛群を受け入れる穴の軸線は、図１４〜図１９の平面に平行であるが、穴は互いに異なる向きを有していてもよい。
【００３０】
剛毛群を受け入れる支持体は、任意の形状の横断面、例えば円形、楕円形、多角形又は他の形状のものであってよく、断面は、一様であってもよく或いは長手方向に漸変していてもよい。
一例を挙げると、図２３に示すアプリケータ１５０は、２等辺３角形の３辺のように配置された３つのフェース１５２を定める３角形断面の細長い支持体１５１から成るブラシを構成している。
支持体１５１は、支持体１５１の中央で互いに交差し、上述の２等辺３角形の高さに沿って延びる貫通穴１５３を有している。
これら穴１５３は、皿穴１５４を経てフェース１５２で開口している。
剛毛群１５５が、穴１５３に差し込まれており、剛毛は、支持体１５１の中央部分で互いに交差した剛毛によって、完全に又は部分的に定位置に保持されている。
【００３１】
図２４及び図２５に示すように、３角形以外の断面を有するよう剛毛群を受け入れる支持体を形成することができ、例えば、支持体は、正方形断面を有していてもよい。
剛毛が植え込まれた穴を任意的に交差させてもよく、穴が交差している場合には剛毛を交差させると、これらが定位置に保持されやすくなるので有利である。
剛毛群を定位置に配置して、支持体から出すことにより得られるループを任意的に刈り取ってもよい。
一例を挙げると、図２４は、アプリケータの２つのフェース上に保持されたループを示し、図２５は、４つ全てのフェース上に取り付けられた実質的に同一の剛毛群を備えたアプリケータが得られるように刈り取られたループを示している。
直線状ではない支持体を貫通した穴を形成することができ、かかる穴は、図２６に示すように互いに０ではない鋭角をなす軸線Ｙ，Ｚに沿って延びる部分を有している。
【００３２】
剛毛群が植え込まれた支持体を、図２７に示すように穴の軸線に垂直な平面内で湾曲させてもよく、或いは、これを図２８に示すように穴の軸線に垂直な軸線の回りに湾曲させてもよい。
図２８では、剛毛は、軸線Ｘに対し、アプリケータの軸からの距離が増すにつれて増大する角度をなすアプリケータの外方に凸状のフェース１７２から延びている。
剛毛が植え込まれた支持体を、熱可塑性材料又は金属合金を射出成形することにより、或いはプレス加工又は切削加工を行うことにより単一部品として製造することができる。
支持体は又、図２９に示すように、頂部１８１と底部１８２とでサンドイッチされたコア１８０を有する複合構造のものであってもよく、これら頂部及び底部は、コアの材料とは異なる材料で作られている。
かくして、コア１８０を例えば延性金属で作るのがよく、これに対し頂部１８１及び底部１８２は、プラスチック材料で作られる。
【００３３】
支持体を成形することにより、或いは支持体を穴あけすることにより穴を作ることができる。
穴はまた、図３０に示すように互いにつながっていてもよい。
この図では、支持体の開放部分を介して互いにつながった一連の穴１９１を有するアプリケータ１９０が示されており、これらの穴は、支持体の開放中央領域の２つの波形縁部相互間に形成されている。
当然のことながら、本発明は、上述の実施形態には限定されない。
特に、支持体を更に別の形状に作ることができる。
剛毛群を、支持体の成形以外の手段により（この場合、例えば追加の要素を用いて、或いは用いずに）、材料を局所的に溶融させることにより、或いは接着剤を用いることにより支持体に固定してもよい。
【００３４】
穴は、これらの長さの或る部分のところの断面が円形であっても多角形であっても、或いは他の形状であってもよい。
剛毛に上述の切削加工以外の加工、例えば、カーディング又は局所溶融を施し、或いは物質をこの上に射出させてもよい。
一例を挙げると、図３２は、カーディングが施された剛毛の端部を示している。
また、図３３に示すように溝を備えた剛毛を用いることもできる。
図示していない実施形態では、剛毛群を受け入れる穴は、支持体に対して偏心していてもよい。
【図面の簡単な説明】
【００３５】
【図１】本発明の実施形態としての包装塗布器具の軸方向略図である。
【図２】一群の剛毛を収容した穴を示す軸方向部分図である。
【図３】対応関係にある穴の中の定位置に植え込まれた一群の剛毛を示す図である。
【図４】剛毛群を対応関係にある穴の中に植え込む別法を示す図である。
【図５】ループを刈り取った後の一群の剛毛を示す図である。
【図６】剛毛群を挿入した後の成形中の支持体を示す図である。
【図７】一方の側部が成形された後の支持体の概略断面図である。
【図８】図７と類似した図であり、支持体の２つの互いに反対側の側部が成形された後の図である。
【図９】支持体の外部への剛毛の取付け方に対する穴の形状の影響を示す図である。
【図１０】支持体の外部への剛毛の取付け方に対する穴の形状の影響を示す図である。
【図１１】一群の剛毛を固定するためにペグを挿入できる盲穴を備えた支持体の断面図である。
【図１２】側部切欠きを備えた支持体の概略部分斜視図である。
【図１３】互いに反対側に向いた剛毛群を備えた支持体の部分略図である。
【図１４】ブラシの一形態を示す図である。
【図１５】ブラシの別の形態を示す図である。
【図１６】ブラシの別の形態を示す図である。
【図１７】ブラシの別の形態を示す図である。
【図１８】ブラシの別の形態を示す図である。
【図１９】ブラシの別の形態を示す図である。
【図２０】支持体に設けられた穴の位置を示す図である。
【図２１】支持体に設けられた穴の別の位置を示す図である。
【図２２】穴を互いに異なる傾きで示す図である。
【図２３】交差した剛毛群を備えた多角形断面の支持体を示す略図である。
【図２４】正方形断面の支持体を備えたブラシを示す略図である。
【図２５】正方形断面の支持体を備えたブラシを示す略図である。
【図２６】直線状ではない穴を示す図である。
【図２７】湾曲した支持体の部分略図である。
【図２８】湾曲した支持体の部分略図である。
【図２９】複合支持体を示す部分概略断面図である。
【図３０】相互につながった穴を備える支持体を示す図である。
【図３１】アプリケータの軸に形成された細い部分の一部を示す略図である。
【図３２】カーディング後の剛毛の端部を示す図である。
【図３３】溝を備えた剛毛の端部を示す図である。
【符号の説明】
【００３６】
１  包装塗布器具
２  入れ物又は容器
１０  アプリケータ
１１  軸
１２  取っ手部材
２０  支持体
２１  貫通穴
２２  剛毛
【図１】
2005342534.tif 000003
【図２】
2005342534.tif 000004
【図３】
2005342534.tif 000005
【図４】
2005342534.tif 000006
【図５】
2005342534.tif 000007
【図６】
2005342534.tif 000008
【図７】
2005342534.tif 000009
【図８】
2005342534.tif 000010
【図９】
2005342534.tif 000011
【図１０】
2005342534.tif 000012
【図１１】
2005342534.tif 000013
【図１２】
2005342534.tif 000014
【図１３】
2005342534.tif 000015
【図１４】
2005342534.tif 000016
【図１５】
2005342534.tif 000017
【図１６】
2005342534.tif 000018
【図１７】
2005342534.tif 000019
【図１８】
2005342534.tif 000020
【図１９】
2005342534.tif 000021
【図２０】
2005342534.tif 000022
【図２１】
2005342534.tif 000023
【図２２】
2005342534.tif 000024
【図２３】
2005342534.tif 000025
【図２４】
2005342534.tif 000026
【図２５】
2005342534.tif 000027
【図２６】
2005342534.tif 000028
【図２７】
2005342534.tif 000029
【図２８】
2005342534.tif 000030
【図２９】
2005342534.tif 000031
【図３０】
2005342534.tif 000032
【図３１】
2005342534.tif 000033
【図３２】
2005342534.tif 000034
【図３３】
2005342534.tif 000035
【外国語明細書】
2005342534.tif 000036
2005342534.tif 000037
2005342534.tif 000038
2005342534.tif 000039
2005342534.tif 000040
2005342534.tif 000041
2005342534.tif 000042
2005342534.tif 000043
2005342534.tif 000044
2005342534.tif 000045
2005342534.tif 000046
2005342534.tif 000047
2005342534.tif 000048
2005342534.tif 000049
2005342534.tif 000050
2005342534.tif 000051
2005342534.tif 000052
2005342534.tif 000053
2005342534.tif 000054
2005342534.tif 000055
2005342534.tif 000056
2005342534.tif 000057
2005342534.tif 000058
2005342534.tif 000059
2005342534.tif 000060
2005342534.tif 000061
2005342534.tif 000062
2005342534.tif 000063
2005342534.tif 000064
2005342534.tif 000065